(57)【要約】【課題】各種調整項目の調整値の変更を最小限にしつつ、消費電力が設定された上限値以下となるように調整値を変更する表示装置及びテレビジョン受信機を提供する。【解決手段】設定された調整値に基づいて表示部３に表示される映像又は音声出力部に出力される音声を調整する調整部と、調整値を複数記憶する記憶部１３と、該記憶部１３に記憶された調整値を調整部に設定する設定部とを備える表示装置において、複数の消費電力値それぞれに対して各複数の調整値が対応付けられて記憶部１３に記憶してあり、受付けた消費電力値と対応付けられた調整値を前記記憶部１３から複数読み出す読み出し部と、前記読み出した複数の調整値の中から、前記調整部に設定されている調整値に最も近似する調整値を選択する選択部とを備え、前記設定部は、前記選択部により選択された前記調整値を設定するよう構成する。【選択図】図１
2013207390.tif 000002
【特許請求の範囲】
【請求項１】
入力された映像信号に基づく映像を表示する表示部と、音声を出力する音声出力部と、設定された調整値に基づいて前記表示部に表示される映像又は前記音声出力部に出力される音声を調整する調整部と、調整値を複数記憶する記憶部と、該記憶部に記憶された調整値を前記調整部に設定する設定部とを備える表示装置において、
複数の消費電力値それぞれに対して各複数の前記調整値が対応付けられて前記記憶部に記憶してあり、
消費電力値を受付ける受付部と、
受付けた消費電力値と対応付けられた調整値を前記記憶部から複数読み出す読み出し部と、
前記読み出した複数の調整値の中から、前記調整部に設定されている調整値に最も近似する調整値を選択する選択部と
を備え、
前記設定部は、前記選択部により選択された前記調整値を設定するよう構成してあること
を特徴とする表示装置。
【請求項２】
前記調整値は、複数の調整項目毎に値が記憶してあり、
前記選択部は、前記読み出した複数の調整値それぞれについて、調整項目毎に、前記調整部に設定されている調整値との差分を算出し、算出した差分の絶対値をすべての調整項目について合計し、合計値が最小となる調整値を選択するよう構成してあること
を特徴とする請求項１に記載の表示装置。
【請求項３】
前記複数の調整項目にはそれぞれ、重み係数が対応付けられており、
前記選択部は、前記算出した差分の絶対値に調整項目に対応付けられた前記重み係数を乗算し、前記合計値を算出するよう構成してあること
を特徴とする請求項２に記載の表示装置。
【請求項４】
前記複数の調整項目にはそれぞれ、優先順位が対応付けられており、
前記選択部は、前記合計値が最小となる調整値が複数ある場合、前記優先順位が高い調整項目から順に前記差分の絶対値を加算し、合計値に差異が出た時点で、合計値が最小となる調整値を選択するよう構成してあること
を特徴とする請求項２又は３に記載の表示装置。
【請求項５】
前記受付部は、消費電力値と共に時間情報を受付け、
前記設定部は、前記調整部に設定されている調整値を記憶した後に、前記選択部により選択された調整値を設定し、前記時間情報で定める時間に達した場合には、記憶した前記調整部に設定されている調整値を設定するようにしてあること
を特徴とする請求項１から４の一項に記載の表示装置。
【請求項６】
請求項１から５のいずれか一つに記載の表示装置と、
テレビジョン放送を受信する受信部と
を備え、
前記受信部にて受信したテレビジョン放送に基づいて、前記表示装置に映像を表示するようにしてあること
を特徴とするテレビジョン受信機。
【発明の詳細な説明】
【技術分野】
【０００１】
本発明は、映像を表示する表示装置及び該表示装置を備えたテレビジョン受信機に関する。
【背景技術】
【０００２】
昨今、電力消費量の削減が求められており、節電に対する意識が高まっている。電化製品の使用者においても、消費電力を削減した状態で製品を使用したいというニーズがある。電化製品の１つであるテレビジョン受信機などの表示装置における消費電力量は、表示映像の明るさや音声出力の音量、各種機能のＯＮ／ＯＦＦなど、表示装置の各種調整項目の設定によって、変動する。しかしながら、使用者は各種調整項目の設定値と、表示装置の消費電力との関係を把握することは容易ではない。それに対して、特許文献１には、現在の消費電力と電気料金を表示すると共に、現在より電気料金が安くなる設定値の組み合わせと、それに対応した電気料金の変動値とを、表示する表示装置について記載されている。
【先行技術文献】
【特許文献】
【０００３】
【特許文献１】特開２０１１−５９３８９号公報
【発明の概要】
【発明が解決しようとする課題】
【０００４】
しかしながら、上述の表示装置は電気料金を削減することを主目的としており、電力消費量の削減について数値目標が定められている昨今の状況には適応できない。また、表示装置の調整項目の調整値、特に表示に関する調整項目の調整値が大きく変更されると、ユーザが求める表示品質とは大きく異なってしまう。そのため、調整値の変更は必要最小限であることが望ましい。
本発明は、上述のごとき事情に鑑みてなされたものであり、その目的は、各種調整項目の調整値の変更を最小限にしつつ、消費電力が設定された上限値以下となるように調整値を変更する表示装置及びテレビジョン受信機を提供することである。
【課題を解決するための手段】
【０００５】
本発明に係る表示装置は、入力された映像信号に基づく映像を表示する表示部と、音声を出力する音声出力部と、設定された調整値に基づいて前記表示部に表示される映像又は前記音声出力部に出力される音声を調整する調整部と、調整値を複数記憶する記憶部と、該記憶部に記憶された調整値を前記調整部に設定する設定部とを備える表示装置において、複数の消費電力値それぞれに対して各複数の前記調整値が対応付けられて前記記憶部に記憶してあり、消費電力値を受付ける受付部と、受付けた消費電力値と対応付けられた調整値を前記記憶部から複数読み出す読み出し部と、前記読み出した複数の調整値の中から、前記調整部に設定されている調整値に最も近似する調整値を選択する選択部とを備え、前記設定部は、前記選択部により選択された前記調整値を設定するよう構成してあることを特徴とする。
【０００６】
本発明にあっては、設定された消費電力の上限値と対応付けられた複数の調整値の中から、現在の調整値と最も近似するものを選択し、選択した値に調整値を変更する。したがって、表示装置の動作状態の変化が最小限かつ、消費電力が上限値を下回る動作状態となるよう、調整値を変更することが可能となる。
【０００７】
本発明に係る表示装置は、前記調整値は、複数の調整項目毎に値が記憶してあり、前記選択部は、前記読み出した複数の調整値それぞれについて、調整項目毎に、前記調整部に設定されている調整値との差分を算出し、算出した差分の絶対値をすべての調整項目について合計し、合計値が最小となる調整値を選択するよう構成してあることを特徴とする。
【０００８】
本発明にあっては、消費電力の上限値と対応付けられた複数項目からなる調整値の複数の組み合わせの中から、現在の調整値との差分の合計値が最も小さくなる調整値の組み合わせを選択して設定するので、表示装置の動作状態の変化が最小限かつ、消費電力が上限値を下回る動作状態となるよう、調整値を変更することが可能となる。
【０００９】
本発明に係る表示装置は、前記複数の調整項目にはそれぞれ、重み係数が対応付けられており、前記選択部は、前記算出した差分の絶対値に調整項目に対応付けられた前記重み係数を乗算し、前記合計値を算出するよう構成してあることを特徴とする。
【００１０】
本発明にあっては、差分の合計値を求める際、調整項目毎に設けた重み係数を乗算した後に加算するので、調整項目毎の変化の度合いに差を設けることができる。使用者が変化を望まない調整項目の値変動を、より少なくすることが可能となる。
【００１１】
本発明に係る表示装置は、前記複数の調整項目にはそれぞれ、優先順位が対応付けられており、前記選択部は、前記合計値が最小となる調整値が複数ある場合、前記優先順位が高い調整項目から順に前記差分の絶対値を加算し、合計値に差異が出た時点で、合計値が最小となる調整値を選択するよう構成してあることを特徴とする。
【００１２】
本発明にあっては、差分の合計値が最小となる組み合わせが複数ある場合は、優先順位が高いものから順に差分を加算し、合計値に差異が出た時点で、合計値が最小となる調整値の組み合わせを選択するので、使用者が変化を望まない調整項目の値変動が、より少ない調整値の組み合わせが選択される。
【００１３】
本発明に係る表示装置は、前記受付部は、消費電力値と共に時間情報を受付け、前記設定部は、前記調整部に設定されている調整値を記憶した後に、前記選択部により選択された調整値を設定し、前記時間情報で定める時間に達した場合には、記憶した前記調整部に設定されている調整値を設定するようにしてあることを特徴とする。
【００１４】
本発明にあっては、変更した各種調整項目の調整値を、設定した終了時間になると、元の値に戻すので、使用者が望む時間の間だけ、消費電力を設定した上限値以下とすることが可能となる。
【００１５】
本発明に係るテレビジョン受信機は、上述のいずれか一つの表示装置と、テレビジョン放送を受信する受信部とを備え、前記受信部にて受信したテレビジョン放送に基づいて、前記表示装置に映像を表示するようにしてあることを特徴とする。
【００１６】
本発明にあっては、上述の表示装置を備えたテレビジョン受信機において、表示装置の動作状態の変化が最小限かつ、消費電力が上限値を下回る動作状態となるよう、調整値を変更することが可能となる。
【発明の効果】
【００１７】
本発明にあっては、表示装置の動作状態の変化が最小限かつ、消費電力が上限値を下回る動作状態となるよう、調整値を変更することが可能となる。
【図面の簡単な説明】
【００１８】
【図１】実施の形態１に係る表示装置のハードウェア構成を示す説明図である。
【図２】記憶部に記憶してある電力データベースのレコードレイアウト例を示す説明図である。
【図３】優先順位設定テーブルのレコードレイアウト例を示す説明図である。
【図４】表示装置の動作手順についてのフローチャートである。
【図５】消費電力の上限値を満たした設定に変更する際の表示装置の動作手順についてのフローチャートである。
【図６】消費電力の上限値を入力するための画面例を示す説明図である。
【図７】入力された消費電力の上限値を表示する画面例を示す説明図である。
【図８】消費電力設定状態にする時間帯を入力するための画面例を示す説明図である。
【図９】設定した消費電力の上限値及び消費電力設定状態にする時間帯を確認するための画面例を示す説明図である。
【図１０】設定値を選択する処理の一例を説明するための説明図である。
【図１１】設定値を選択する処理の一例を説明するための説明図である。
【図１２】優先順位設定テーブルのレコードレイアウト例を示す説明図である。
【図１３】設定値を選択する処理の一例を説明するための説明図である。
【図１４】設定値を選択する処理の一例を説明するための説明図である。
【図１５】記憶部に記憶する消費電力設定レコードの例を示す説明図である。
【図１６】消費電力設定を確認する画面の一例を示す説明図である。
【図１７】消費電力設定を確認する画面の一例を示す説明図である。
【図１８】消費電力設定を確認する画面の一例を示す説明図である。
【図１９】消費電力設定の実行を確認する画面の一例を示す説明図である。
【図２０】実施の形態３に係るテレビジョン受信機のハードウェア構成を示す説明図である。
【発明を実施するための形態】
【００１９】
以下、本発明をその実施の形態を示す図面に基づき具体的に説明する。
実施の形態１
図１は実施の形態１に係る表示装置のハードウェア構成を示す説明図である。表示装置は、制御部１、映像制御部２、表示部３、音声制御部４、スピーカ５、入力部６を含む。
【００２０】
制御部１は、ＣＰＵ（Central Processing Unit）１１、ＲＡＭ（Random Access Memory）１２、記憶部１３、時計部１４を含む。ＣＰＵ１１は、バスを介してハードウェア各部と接続されている。ＣＰＵ１１は記憶部１３に記憶された制御プログラム１３Ｐに従いハードウェア各部を制御する。ＲＡＭ１２は例えばＳＲＡＭ（Static ＲＡＭ）、ＤＲＡＭ（Dynamic ＲＡＭ）、フラッシュメモリ等である。ＲＡＭ１２は、記憶部としても機能し、ＣＰＵ１１による各種プログラムの実行時に発生する種々のデータを一時的に記憶する。
【００２１】
記憶部１３は例えば、ハードディスクまたは大容量フラッシュメモリ等であり、制御プログラム１３Ｐ及び電力データベース１３Ｄを記憶する。電力データベース１３Ｄは、１つ以上のテーブルから構成されている。時計部１４は現在時刻、または任意の時点を起点とした経過時間をＣＰＵ１１へ出力する。
【００２２】
映像制御部２（調整部）は、バックライトコントロール部２１、その他のコントロール部２２を含む。表示部３はバックライト３１と表示パネル３２を含む。表示パネル３２は例えば、液晶表示パネルである。
【００２３】
バックライトコントロール部２１はバックライト３１を制御し、表示パネル３２に表示される映像の明るさを制御する。その他のコントロール部２２は表示パネル３２を制御し、表示パネル３２の一面に映像を表示させる。また、その他のコントロール部２２は、表示パネル３２に表示させる映像の色あい、黒レベル、コントラスト、色の濃さ、色温度、フレームレートなどの制御も行う。
【００２４】
音声制御部４（調整部）は、スピーカ５（音声出力部）に出力する音声の音量、音質などの制御を行う。入力部６（受付部）は表示装置を操作するためにユーザが用いるものであり、表示装置に備えるボタンやスイッチ、または表示装置に有線又は無線で接続されたリモートコントロールユニット（リモコン）である。
【００２５】
図２は記憶部１３に記憶してある電力データベース１３Ｄのレコードレイアウト例を示す説明図である。電力データベース１３Ｄは、ＩＤ列、消費電力列、色あい列、音量列、黒レベル列、コントラスト列、明るさ列、色の濃さ列、色温度列、倍速列などを含む。ＩＤ列には各レコードを識別する主キーの値を記憶する。消費電力列は表示装置が消費する電力の値を記憶する。単位はＷｈである。色あい列、音量列、黒レベル列、コントラスト列、明るさ列、色の濃さ列、色温度列、倍速列それぞれの列は、消費電力列に記憶した消費電力を実現するための設定値（調整値）を記憶する。倍速は表示部のフレームレートを通常の２倍にするか否かの設定であり、０の場合は通常のフレームレート、１の場合は２倍のフレームレートとすることを示す。図２の例では、消費電力が１００Ｗｈとなる設定の組み合わせを示すレコードは、ＩＤが１００−１、１００−２、１００−３、…、１００−７である７つのレコードである。
【００２６】
電力データベース１３Ｄに記憶する値は、実際の製品を様々な設定により動作させ、消費電力を測定し求める。なお、電源周波数により消費電力と設定値との関係は変わるので、電力データベース１３Ｄは、５０Ｈｚの場合と、６０Ｈｚの場合とでは、別のテーブルを構築する。
【００２７】
図３は優先順位設定テーブル１３Ｔのレコードレイアウト例を示す説明図である。優先順位設定テーブル１３Ｔは、色あい列、音量列、黒レベル列、コントラスト列、明るさ列、色の濃さ列、色温度列、倍速列を含む。各列は上述した表示装置の調整項目であり、記憶される値は、各項目の優先順位である。数字が小さいほど、優先順位が高いものとする。すなわち、優先順位が１の色あいが最も順位が高く、優先順位が８の倍速が最も優先順位が低い。優先順位は消費電力設定を行う際に用いられる。
【００２８】
図４は表示装置の動作手順についてのフローチャートである。図５は消費電力の上限値を満たした設定に変更する際の表示装置の動作手順についてのフローチャートである。
【００２９】
ユーザは入力部６にある消費電力の上限値の設定を開始するための操作を行う。例えば、リモコン等に専用のキーを設けて、そのキーを操作するようにしたり、設定メニューに項目を追加し、矢印キー等で選択操作するようにしたりすれば良い。表示装置のＣＰＵ１１は、消費電力設定の開始操作がされたかを監視する（ステップＳ１）。消費電力設定の開始操作が操作されていない場合（ステップＳ１でＮＯ）、ＣＰＵ１１は、処理をステップＳ１に戻す。消費電力設定の開始操作がされた場合（ステップＳ１でＹＥＳ）、ＣＰＵ１１は現在の設定値をＲＡＭ１２または記憶部１３の所定の領域に記憶する（ステップＳ２）。
【００３０】
ＣＰＵ１１は設定メニューを表示部３に表示する（ステップＳ３）。ユーザは入力部６を用いて消費電力の上限値、消費電力設定状態にする時間帯などの入力を行う。ＣＰＵ１１は消費電力の上限値などの入力を受付ける（ステップＳ４）。
【００３１】
次に、ＣＰＵ１１は受け付けた設定に従い、消費電力設定を行う（ステップＳ５）。図５に移り、ＣＰＵ１１（読み出し部）は消費電力の上限値に対応した設定を電力データベース１３Ｄより抽出する（ステップＳ２１）。ＣＰＵ１１は抽出された設定（レコード）毎に、現在の設定値との差分の絶対値を調整項目毎に算出する（ステップＳ２２）。ＣＰＵ１１は算出された差分の絶対値を合計し値を算出する（ステップＳ２３）。ＣＰＵ１１は合計値を比較し、合算値が最小のものが１つであるかを調べる（Ｓ２４）。合計値が最小のものが１つではない場合（ステップＳ２４でＮＯ）、合計値が最小のものが２つ以上ある場合、それらの設定について、次の処理を行う。ＣＰＵ１１は、優先順位設定テーブル１３Ｔを参照し、優先順位が最も高い項目についての差分を比較する（ステップＳ２５）。ＣＰＵ１１は、差があるかを調べる（ステップＳ２６）。差がある場合（ステップＳ２６でＹＥＳ）、ＣＰＵ１１（選択部）は最も差分が少ないものを選択する。ＣＰＵ１１（設定部）は選択した設定値に表示装置の設定を変更する（ステップＳ２８）。差がない場合（ステップＳ２６でＮＯ）、ＣＰＵ１１は、優先順位が最も高い項目についての差分それぞれに、次に優先順位が高い項目の差分を加算し、比較する（ステップＳ２７）。ＣＰＵ１１は処理をステップＳ２６に戻し、上述した処理を行う。
【００３２】
差分の合計値が最小となるものが一つの場合（ステップＳ２４でＹＥＳ）、ＣＰＵ１１は最小となる設定を選択し、選択した設定値に表示装置の設定を変更する（ステップＳ２８）。
【００３３】
図４に戻り、ＣＰＵ１１は消費電力設定した旨を表示部３に表示する（ステップＳ６）。ＣＰＵ１１は消費電力設定についての終了時間が設定されているかを調べる（ステップＳ７）。終了時間が設定されている場合（ステップＳ７でＹＥＳ）、ＣＰＵ１１は時計部１４にて現在時刻が終了時間となったかを監視させる（ステップＳ８）。または時計部１４より得た現在時刻から終了時間となったか否かを、ＣＰＵ１１は判定する。時計部１４より終了時間になった旨の通知を受けた場合、または時計部１４より得た現在時刻から終了時間となったと判定した場合（ステップＳ８でＹＥＳ）、ＣＰＵ１１は終了となった旨を表示部３に表示する（ステップＳ９）。ＣＰＵ１１はＲＡＭ１２または記憶部１３に記憶されている設定値を読み出し、設定値をそれらの値に設定し直す。すなわち、消費電力設定前の状態に戻す（ステップＳ１０）。終了時間になっていないと判定した場合（ステップＳ８でＮＯ）、ＣＰＵ１１は判定を継続する（ステップＳ８）。
【００３４】
消費電力設定についての終了時間が設定されていない場合（ステップＳ７でＮＯ）、ＣＰＵ１１は消費電力設定の終了操作がされるか監視する（ステップＳ１１）。終了操作がされない場合（ステップＳ１１でＮＯ）、監視を継続する（ステップＳ１１）。終了操作がされた場合（ステップＳ１１でＹＥＳ）、ＣＰＵ１１はＲＡＭ１２または記憶部１３に記憶されている設定値を読み出し、設定値をそれらの値に設定し直す。すなわち、消費電力設定前の状態に戻す（ステップＳ１０）。
【００３５】
次に上述の処理を、具体例を用いて説明する。図６は消費電力の上限値を入力するための画面例を示す説明図である。図７は入力された消費電力の上限値を表示する画面例を示す説明図である。図８は消費電力設定状態にする時間帯を入力するための画面例を示す説明図である。図９は設定した消費電力の上限値及び消費電力設定状態にする時間帯を確認するための画面例を示す説明図である。図６に示す画面は、ユーザが入力部６の消費電力設定の開始操作をすると表示される画面である。ユーザはこの画面において、リモコンの数字キーなどを用いて値を設定し、決定キーを押す。ＣＰＵ１１は図７に示す画面を表示部３に表示する。ここでは、ユーザは消費電力の上限値を１００Ｗｈと設定している。
【００３６】
続いて、ＣＰＵ１１は図８に示す画面を表示部３に表示し、ユーザから消費電力設定状態にする期間や時間帯の入力を受け付ける。ユーザは入力後に決定キーを押す。ＣＰＵ１１は図９に示す画面を表示部３に表示し、設定内容をユーザに確認させる。ここでは、毎週月曜日から金曜日の１０：００から１７：００の時間帯に消費電力が１００Ｗｈとすることを設定している。現在の時刻が設定した時間帯に含まれている場合、ＣＰＵ１１は上述の消費電力設定を行う。
【００３７】
図１０は設定値を選択する処理の一例を説明するための説明図である。図１０Ａは現在の設定値の一例を示す表である。図１０Ｂは現在の設定値との差分の絶対値を調整項目毎に算出した結果を示す表である。ユーザは消費電力の上限値として１００Ｗｈを設定したので、ＣＰＵ１１は図２に示す電力データベース１３Ｄより、消費電力が１００Ｗｈのレコードを抽出する。抽出されるレコードは、ＩＤの値が１００−１から１００−７の７レコードである。ＣＰＵ１１は各レコードに対して、項目毎に現在の設定値との差分の絶対値を求める。その結果を図１０Ｂに示している。例えば、色あいの現在値は０であり、ＩＤが１００−１の設定値では色あいの値は０であるので、差分値は０となる。同様に音量については現状が２０で、ＩＤ１００−１の設定値は１２であるので、差分値は８となる。以下、同様に算出が行なわれる。
【００３８】
ＣＰＵ１１は、電力データベース１３Ｄから抽出したすべてのレコードに対して、項目毎の差分値を算出したら、その合計値を算出する。図１０Ｂの合計値列に示している。ここでは、ＩＤが１００−５の設定が最小値となっている。従って、ＣＰＵ１１は、ＩＤが１００−５の設定を選択し、各設定値を変更する。すなわち、図２に示しているように、ＣＰＵ１１は色あいを２、音量を２０、黒レベルを４、コントラストを４５、明るさを１５、色の濃さを−５、色温度を１、倍速を０と設定する。
【００３９】
図１１は設定値を選択する処理の一例を説明するための説明図である。図１１Ａは電力データベースに記憶されているデータの一例を示す表である。図１１Ｂは現在の設定の一例を示す表である。図１１Ｃは項目毎に現在の設定値との差分の絶対値を求めた結果を示す表である。
【００４０】
図１１の例では、ＩＤ１００−５の設定及び１００−７の設定の合計値が共に最小の１６となっている。合計値が最小となる設定が複数ある場合は、優先順位が高いものから順に差分の絶対値を比較し、差が出た時点で、選択する設定を決定する。図１１Ｃには優先順位設定テーブル（図３）に従った優先順位を調整項目名の上に転記してある。ＣＰＵ１１は優先順位が最も高い色あいから差分の絶対値を加算していき、合計値の比較を行う。ＩＤ１００−５、１００−７共に０であるから、差がない。同様に、音量、黒レベル、コントラストについても共に０であるから、合計値に差はない。明るさは、ＩＤ１００−５が１５、ＩＤ１００−７は１４であり、差が生じている。よって、明るさの差分値がより小さいＩＤ１００−７の設定をＣＰＵ１１は選択し、その値を各調整項目の値として、設定する。
【００４１】
差分の絶対値の合計値が最小となる設定が複数ある場合には、優先順位が高いものから差分の絶対値を加算していき、合計値の比較をしているが、それに限られない。優先順位が高いものから差分の絶対値を加算はせずに、優先順位が高いものから比較を行い、差が生じている項目が見つかった時点で、その項目の差分の絶対値が小さい方の設定を選択すれば良い。
【００４２】
上述のように実施の形態１では、表示装置の消費電力がユーザにより設定された上限値以下となるように調整項目の設定を変更する際、現在の設定との差分が最小となる設定を選択するので、調整項目の設定値の変更を最小限にしつつ、消費電力をユーザの設定した上限値以下とすることが可能となる。
【００４３】
実施の形態２
本実施の形態においては、消費電力に対応する調整項目の設定値と、現在の設定値との差分を合計する際に、調整項目毎に指定された重み係数（以下、「係数」と記す）を乗算してから加算することとする。
【００４４】
図１２は優先順位設定テーブル１３Ｔのレコードレイアウト例を示す説明図である。優先順位設定テーブル１３Ｔは、色あい列、音量列、黒レベル列、コントラスト列、明るさ列、色の濃さ列、色温度列、倍速列を含む。各列は上述した表示装置の調整項目であり、記憶される値は、各項目の優先順位及び係数である。優先順位は、数字が小さいほど、優先順位が高いものとする。係数は優先順位とは大小関係が逆であり、優先順位が高いものほど大きな値となっている。
【００４５】
本実施の形態における消費電力設定を行う際の表示装置の動作は、実施の形態１の図４、図５に示す動作とほぼ同様なので、図示及び詳細な説明は省略する。実施の形態１との相違は、電力データベース１３Ｄから抽出された設定値と、現在の設定値との差分の絶対値を求めた後に、係数を乗算した値を合計値の算出に用いる点である。
【００４６】
図１３及び図１４は設定値を選択する処理の一例を説明するための説明図である。図１３Ａはユーザの設定した消費電力の上限値に従い、上限値（１００Ｗｈ）に対応した設定を電力データベース１３Ｄから抽出したものである。ＩＤが１００−１から１００−７までの７レコードが、抽出されている。図１３Ｂは現在の設定を示す表である。
【００４７】
図１３Ｃは電力データベース１３Ｄから抽出した設定及び現在設定より、調整項目毎に差分を求め係数を乗算し、合計値を求める過程を表で示すものである。図１３Ｃに示す表の一行目は調整項目に対応した係数を、図１２に示す優先順位設定テーブルより転記している。
【００４８】
例えば、ＩＤが１００−１の音量の設定値は１２であり、現在設定の音量の設定値は２０であるので、その差分値は８である。音量に対する係数は７であるので、係数を乗算した差分値は８×７＝５６である。他のレコード（設定）、調整項目についても、同様な処理を行い、合計値を求める。図１３Ｃに示す表の一番右の列が合計値である。ここでは、ＩＤが１００−５、１００−７の設定に対する合計値が共に６３であり、最小となっている。次に、この２つの設定を比較する処理を行う。
【００４９】
合計値が最小となる設定が複数である場合、優先順位が高いものから順に差分の値を積算し、積算した値を比較する。図１４に示す表には、ＩＤが１００−５、１００−７の設定に対する現在の設定値の差分の絶対値に係数を乗算した値を示し、その行の下に、積算という項目を設けて積算値を示している。図１４に示しているように、色あいからコントラストまでの比較では共に積算値は０、明るさでの比較では共に積算値が６０、色の濃さでの比較ではＩＤ１００−５が６３、ＩＤ１００―７が６０となり、差が生じる。そして、ＩＤ１００−７の設定が選択され、各調整項目の設定値が変更される。
【００５０】
優先順位が高いものから順に差分の値を積算し、積算した値を比較したが、優先順位が高いものから順に差分の値を比較してもよい。２つの設定に対する値を優先順位が高いものから順に比較する。図１４に示すように、色あい、音量、コントラストは共に０であり差がない。明るさについても共に６０であり差がない。色の濃さＩＤ１００−５の設定では３、ＩＤ１００−７の設定では０であり、差が生じている。よって、ＩＤ１００−７の設定が選択され、各調整項目の設定値が変更される。
【００５１】
本実施の形態では、実施の形態１で述べた効果に加えて、次のような効果を奏する。優先順位が高い調整項目に他の調整項目よりも大きな係数を設定することにより、合計値を算出する際の優先順位が高い調整項目に対する差分がより大きな値となる。それにより、合計値が他の設定の合計値よりも大きくなり、優先順位が高い調整項目に差分がある設定は、他の設定よりも選択されにくくなる。すなわち、表示の態様に大きな影響を与える調整項目については係数を大きくすることにより、表示態様の変更を最小限にしつつ、消費電力が設定された上限値以下となるように調整値を変更することが、可能となる。
【００５２】
次に、実施の形態１及び実施の形態２にて、消費電力設定の確認を行う場合について説明する。図１５は記憶部１３に記憶する消費電力設定レコードの例を示す説明図である。消費電力設定レコードは、項目として電力値、期間・種別、期間・開始、期間・終了、開始時刻、終了時刻、データＩＤを含む。電力値は、ユーザが指定した消費電力の上限値である。期間・種別は期間をどのように指定するかを表すデータが記憶される。例えば、毎週、毎日、毎月、日付である。期間・開始、期間・終了は、それぞれ期間・種別に即した期間の始期、終期が記憶される。開始時刻、終了時刻（時間情報）は、それぞれ開始、終了の時刻が記憶される。データＩＤは、消費電力設定が行われた際に選択された設定のＩＤ、すなわち、電力データベースのＩＤが記憶される。図１５Ａは毎週月曜日から金曜日に消費電力設定を実行する場合、図１５Ｂは毎日消費電力設定を実行する場合である。図１５Ｃは毎月１日から１０日に消費電力設定を実行する場合である。図１５Ｄは３月２０日から３月３１日まで消費電力設定を実行する場合である。
【００５３】
図１６から図１８は消費電力設定を確認する画面の一例を示す説明図である。図１６はユーザが消費電力設定をどのように行ったかを確認するための画面であり、入力部６であるリモコンの所定のキーを操作、または設定メニュー画面等から入力部６を操作して呼び出される。消費電力の上限値、消費電力設定を実行する期間及び時間が表示される。設定確認１６ａを選択操作すると、図１７に示す画面に遷移する。図１７に示されるのはユーザの設定によって、各調整項目はどのような値に設定されるのかを表示する画面である。色あい、黒レベル、コントラスト、明るさ、色の濃さ、色温度、倍速のＯＮ／ＯＦＦ、音量等が表示される。図１７に示す画面で次へ１７ａを選択操作すると、図１８に示す画面が表示される。図１８は消費電力設定の内容を視覚的に表示し、現在時刻も合わせて表示する画面である。この画面により、ユーザは消費電力設定の内容、消費電力設定と現在時刻との関係を視覚的に確認することが可能となる。なお、図１６に示す画面で設定変更１６ｂを選択操作すると、図６に示す消費電力設定画面に遷移する。
【００５４】
次に、実施の形態１及び実施の形態２にて、現在時刻が消費電力設定を実行する時間に達した場合、または消費電力設定を実行する時間帯に表示装置の電源を投入した場合の動作について説明する。図１９は消費電力設定の実行を確認する画面の一例を示す説明図である。現在時刻が消費電力設定を実行する時間に達した場合、または消費電力設定を実行する時間帯に表示装置の電源を投入した場合には、図１９に示す画面を表示し、ユーザに判断を促す。はい１９ａが選択操作されたら消費電力設定を行い、いいえ１９ｂが選択された場合は、設定の変更を行なわない。
【００５５】
実施の形態３
図２０は実施の形態３に係るテレビジョン受信機のハードウェア構成を示す説明図である。本実施の形態３に係るテレビジョン受信機は、制御部１、映像制御部２、表示部３、音声制御部４、スピーカ５、入力部６、チューナ部７等を含む。本実施形態に係るテレビジョン受信機は、チューナ部７を除き、実施の形態１及び実施の形態２に係る表示装置と同様な構成なので、同様な構成については同一の符号を付し説明を省略する。
【００５６】
チューナ部７はチューナ（受信部）、デコーダ、分離回路等を含んでいる。チューナ部７はアンテナＡＮＴを介してテレビジョン放送波を受信する。チューナ部７は受信した放送波から映像信号と音声信号を取り出し、映像信号を映像制御部２に、音声信号を音声制御部４に出力する。
【００５７】
消費電力設定に関する動作は、上述の実施の形態１及び実施の形態２に係る表示装置の動作と同様なので省略する。
【００５８】
本実施の形態における効果は、実施の形態１及び実施の形態２に係る表示装置が奏する効果と同様である。
【００５９】
なお、上述した実施の形態はすべての点で例示であって、制限的なものではないと考えられるべきである。本発明の範囲は、上述した意味ではなく、特許請求の範囲によって示され、特許請求の範囲と均等の意味及び範囲内でのすべての変更が含まれることが意図される。
【符号の説明】
【００６０】
１  制御部
１１  ＣＰＵ
１２  ＲＡＭ
１３  記憶部
１３Ｐ  制御プログラム
１３Ｄ  電力データベース
１３Ｔ  優先順位設定テーブル
１４  時計部
２  映像制御部
２１  バックライトコントロール部
２２  その他コントロール部
３  表示部
３１  バックライト
３２  表示パネル
４  音声制御部
５  スピーカ
６  入力部
７  チューナ部
【図１】
2013207390.tif 000003
【図２】
2013207390.tif 000004
【図３】
2013207390.tif 000005
【図４】
2013207390.tif 000006
【図５】
2013207390.tif 000007
【図６】
2013207390.tif 000008
【図７】
2013207390.tif 000009
【図８】
2013207390.tif 000010
【図９】
2013207390.tif 000011
【図１０】
2013207390.tif 000012
【図１１】
2013207390.tif 000013
【図１２】
2013207390.tif 000014
【図１３】
2013207390.tif 000015
【図１４】
2013207390.tif 000016
【図１５】
2013207390.tif 000017
【図１６】
2013207390.tif 000018
【図１７】
2013207390.tif 000019
【図１８】
2013207390.tif 000020
【図１９】
2013207390.tif 000021
【図２０】
2013207390.tif 000022